(57)【要約】【課題】原稿画像の読取画像データから記録用の複数の色成分の画像データへの変換処理を効率良く行って、記録処理の時間、更には、読取記録全体の処理時間を短縮するカラー画像読取記録装置を提供する。【解決手段】第２画像メモリ１７に、色変換・２値化部１６で生成される記録用の各画素１ビットのＫ，Ｃ，Ｍ，Ｙの画像データを順次格納し、各色成分の画像データを２ページ単位で記録部１８へ順次読み出してカラー記録処理を行う。１ページ目に原稿画像を読み取って、１ページ目の色成分Ｋにおける色変換・２値化処理を行った後、２ページ目の原稿画像を読み取っている間に、１ページ目の色成分Ｃにおける色変換・２値化処理を完了させる。２ページ分の原稿画像の読み取りに対する色変換・２値化部１６での色変換・２値化処理の順序を、Ｋ１／Ｃ１／Ｋ２／Ｃ２／Ｍ１／Ｍ２／Ｙ１／Ｙ２とする。【選択図】        図１
2004158999.tif 000002
【特許請求の範囲】
【請求項１】
複数ページの原稿画像を読み取る読取部と、該読取部にて読み取った読取結果を記録用の複数の色成分夫々の画像データにページ単位で変換する変換部と、変換された各色成分の画像データに基づく画像を記録する記録部とを備えるカラー画像読取記録装置において、複数ページの原稿画像の読取結果に対して、前記複数の色成分の一部の色成分における前記変換部での変換処理を、残りの色成分における前記変換部での変換処理より先行させて行うようにしたことを特徴とするカラー画像読取記録装置。
【請求項２】
前記記録部は、各色成分毎に原稿画像２ページ分の画像データに基づく画像を記録するようになっており、前記複数の色成分が４色である場合に、２ページ分の２色の色成分における前記変換部での変換処理を、２ページ分の残りの２色の色成分における前記変換部での変換処理より先行させるようにしており、前記読取部が２ページ目の原稿画像を読み取るまでに、１ページ目の先行する前記２色の色成分における前記変換部での変換処理を完了するようにしたことを特徴とする請求項１記載のカラー画像読取記録装置。
【請求項３】
変換された前記複数の色成分夫々の画像データを符号化する符号化手段と、該符号化手段により符号化された画像データを格納する格納手段と、該格納手段に格納されている符号化画像データを復号する復号手段とを備えており、該復号手段の復号結果に基づく画像を前記記録部にて記録するようになしてあることを特徴とする請求項１または２記載のカラー画像読取記録装置。
【発明の詳細な説明】
【０００１】
【発明の属する技術分野】
本発明は、原稿画像を読み取り、得られる画像データに基づくカラー画像を記録するカラー画像読取記録装置に関する。
【０００２】
【従来の技術】
本来のコピー機能，ファクシミリ機能に加えて、ＬＡＮ（Ｌｏｃａｌ  Ａｒｅａ  Ｎｅｔｗｏｒｋ）などの通信網を介してＰＣ（Ｐｅｒｓｏｎａｌ  Ｃｏｍｐｕｔｅｒ）と接続されており、ＰＣから送られるデータを他のファクシミリ装置へ送信する送信機能、及び、そのデータをプリントアウトするプリンタ機能を備えた機能複合型のファクシミリ装置（ファクシミリ複合装置）が開発されている。
【０００３】
このようなファクシミリ複合装置にあっても、プリンタ機能の拡張に伴って、カラー画像読取記録機能の搭載が行われ始めている。このカラー画像読取記録機能は例えば次のようにして実行する。原稿画像をカラーＣＣＤにて読み取り、取得した表色系の画像データ（ＲＧＢまたはＬａｂ）を一旦多値メモリに格納し、多値メモリから読み出した画像データを記録用の複数の色成分ＣＭＹＫ（Ｃ：シアン，Ｍ：マゼンタ，Ｙ：イエロー，Ｋ：ブラック）の２値の画像データに変換し、変換した画像データを２値メモリに格納し、２値メモリから読み出した画像データに基づくカラー画像を用紙に記録する。ＣＭＹＫの４色成分の画像データを記録部へ送出する管理制御は種々提案されている（例えば、特許文献１参照）。
【０００４】
【特許文献１】
特開２００１−１００９５３号公報
【０００５】
【発明が解決しようとする課題】
このようなカラー画像読取記録機能にあっては、取得したＲＧＢまたはＬａｂの画像データを記録用の色成分ＣＭＹＫの画像データに変換する変換処理を必要とするので、この変換処理を効率良く行わない場合には、記録処理に対してタイムラグが生じて、読取記録全体の処理に要する時間が長くかかってしまうという問題がある。
【０００６】
本発明は斯かる事情に鑑みてなされたものであり、読み取りによって取得した画像データから記録用の画像データへの変換処理を効率良く制御することにより、記録処理の時間、更には、読取記録全体の処理時間を短縮することができるカラー画像読取記録装置を提供することを目的とする。
【０００７】
【課題を解決するための手段】
請求項１に係るカラー画像読取記録装置は、複数ページの原稿画像を読み取る読取部と、該読取部にて読み取った読取結果を記録用の複数の色成分夫々の画像データにページ単位で変換する変換部と、変換された各色成分の画像データに基づく画像を記録する記録部とを備えるカラー画像読取記録装置において、複数ページの原稿画像の読取結果に対して、前記複数の色成分の一部の色成分における前記変換部での変換処理を、残りの色成分における前記変換部での変換処理より先行させて行うようにしたことを特徴とする。
【０００８】
請求項１にあっては、複数ページの原稿画像を読み取り、読み取った複数ページの読取結果を記録用の複数の色成分夫々の画像データに変換する際に、各ページ単位で複数の色成分夫々について順次変換処理を行うのではなく、複数の色成分の一部の色成分についての複数ページにわたる変換処理をまず行い、続いて、残りの色成分についての複数ページにわたる変換処理を行う。このような変換処理の具体的な例は、変換された複数の色成分夫々の画像データを格納するメモリの容量、及び／または、記録部での１回の記録動作で処理できるデータ量などに基づいて決定される。例えば１ページ目の原稿画像を読み取った後、２ページ目の原稿画像を読み取っている間の空き時間に、１ページ目の読取結果に基づく一部の色成分における変換処理を完了させておくことができ、このような変換処理を効率良く行える。この結果、記録処理に要する時間も含めて全体の処理時間は短縮される。
【０００９】
請求項２に係るカラー画像読取記録装置は、請求項１において、前記記録部は、各色成分毎に原稿画像２ページ分の画像データに基づく画像を記録するようになっており、前記複数の色成分が４色である場合に、２ページ分の２色の色成分における前記変換部での変換処理を、２ページ分の残りの２色の色成分における前記変換部での変換処理より先行させるようにしており、前記読取部が２ページ目の原稿画像を読み取るまでに、１ページ目の先行する前記２色の色成分における前記変換部での変換処理を完了するようにしたことを特徴とする。
【００１０】
請求項２にあっては、記録部は１回の記録処理で各色成分の２ページ分の画像データに基づく画像を記録し、複数の色成分が４色（ＣＭＹＫ）である場合に、２ページ分の２色（Ｋ，Ｃ）の色成分における変換部での変換処理を、２ページ分の残りの２色（Ｍ，Ｙ）の色成分における変換部での変換処理より先行させ、２ページ目の原稿画像を読み取っている間に、１ページ目の読取結果に基づいて２色（Ｋ，Ｃ）の色成分における変換処理を済ませておく。具体的には１ページ目のＫ成分，１ページ目のＣ成分，２ページ目のＫ成分，２ページ目のＣ成分の順に変換処理を行ってＫ，Ｃの記録処理を行い、１ページ目のＭ成分，２ページ目のＭ成分，１ページ目のＹ成分，２ページ目のＹ成分の順に変換処理を行ってＭ，Ｙの記録処理を行うようにする。このようにすれば、２ページ目の読み取り中に１ページ目のＣ成分の変換処理を行えることになり、全体の処理時間が短くなる。
【００１１】
請求項３に係るカラー画像読取記録装置は、請求項１または２において、変換された前記複数の色成分夫々の画像データを符号化する符号化手段と、該符号化手段により符号化された画像データを格納する格納手段と、該格納手段に格納されている符号化画像データを復号する復号手段とを備えており、該復号手段の復号結果に基づく画像を前記記録部にて記録するようになしてあることを特徴とする。
【００１２】
請求項３にあっては、変換処理によって得られる複数の色成分夫々の画像データを符号化しておき、記録時にそれらの符号化画像データを復号するようにする。よって、任意の時点での記録処理，ソート記録処理などを、少ないメモリ資源により実行できる。
【００１３】
【発明の実施の形態】
以下、本発明をその実施の形態を示す図面を参照して具体的に説明する。
図１は、本発明のカラー画像読取記録装置としてのファクシミリ複合装置１の構成を示すブロック図である。このファクシミリ複合装置１は、制御部１０，ＲＯＭ１１，ＲＡＭ１２，読取部１３，色変換部１４，第１画像メモリ１５，色変換・２値化部１６，第２画像メモリ１７，記録部１８，表示部１９，操作部２０，第１コーデック２１，メモリ制御部２２，第２コーデック２３，符号化画像メモリ２４，モデム２５，ＮＣＵ（Ｎｅｔｗｏｒｋ  Ｃｏｎｔｒｏｌ  Ｕｎｉｔ）２６，ＬＡＮインタフェース２７等を備えている。
【００１４】
制御部１０は、具体的にはＣＰＵで構成されており、システムバス２８を介してファクシミリ複合装置１の上述したようなハードウェア各部と接続されていて、それらを制御すると共に、ＲＯＭ１１に格納されたコンピュータプログラムに従って、種々のソフトウェア的機能を実行する。
【００１５】
ＲＯＭ１１は、ファクシミリ複合装置１の動作に必要な種々のソフトウェアのプログラムを予め格納している。ＲＡＭ１２は、ＳＲＡＭまたはフラッシュメモリ等で構成され、ソフトウェアの実行時に発生する一時的なデータを記憶する。
【００１６】
読取部１３は、カラーＣＣＤ，ＡＦＥ（Ａｎａｌｏｇ  Ｆｒｏｎｔ  Ｅｎｄ），シェーディング補正部等を有している。カラーＣＣＤは、原稿画像を読み取り、ＲＧＢにより表現される表色系のアナログ信号を取得する。ＡＦＥは、取得されたＲＧＢ表色系のＲ成分，Ｇ成分及びＢ成分夫々を示すアナログ信号を所定の大きさに増幅した後、一定のタイミング毎にサンプリングして、多値（９ビット）のディジタル信号を取得する。シェーディング補正部は、カラーＣＣＤの照明系，結像系及び撮像系で生じた各種の歪みを取り除く補正を行う。
【００１７】
色変換部１４は、読取部１３から出力されるＲＧＢ表色系の９ビットの画像データをＬａｂ表色系の８ビットの画像データに変換する。第１画像メモリ１５は、ＤＲＡＭ等で構成された多値メモリであり、このＬａｂ表色系の８ビットの画像データを一旦格納する。第１画像メモリ１５は、Ａ４サイズの原稿画像２ページ分のＬａｂ画像データを一度に格納できる。
【００１８】
色変換・２値化部１６は、第１画像メモリ１５に格納されているＬａｂ表色系の８ビットの画像データを読み出し、読み出したＬａｂ表色系の８ビットの画像データを、ＣＭＹＫ表色系の２値の画像データに変換する。第２画像メモリ１７は、ＤＲＡＭ等で構成された２値メモリであり、この変換されたＣＭＹＫ表色系の２値の画像データを格納する。第２画像メモリ１７は、ＣＭＹＫ表色系の各色成分の２値の画像データをＡ４サイズの原稿画像４ページ分だけ一度に格納できる。
【００１９】
記録部１８は、電子写真方式のプリンタ装置であって、第２画像メモリ１７に格納されている各色（Ｃ／Ｍ／Ｙ／Ｋ）の２値の画像データに基づく画像をハードコピーとしてプリントアウトする。記録部１８は、面順次に画像を形成する４サイクルエンジンを備えたプリンタ装置である。感光ドラムに、２値のＫ成分画像データに基づく黒用の静電潜像が形成され、この静電潜像に黒トナーが付着されて黒トナー像が現像され、この黒トナー像が記録紙に転写されて黒画像が形成される。次いで、２値のＣ成分画像データ、２値のＭ成分画像データ、２値のＹ成分画像データ夫々に応じた同様の処理が順次行われて、読み取った画像データに基づくフルカラー画像が記録紙に記録される。ここで、１回あたりに感光ドラムに形成できる静電潜像のデータ量はＡ４サイズ２ページ分（Ａ３サイズ１ページ分）である。よって、読取対象の原稿画像がＡ４サイズである場合、２ページ分の各色成分に基づく記録を１回の処理で行える（２アップ方式の記録処理）。また、記録部１８は、ファクシミリ通信により受信した画像データ、及び外部のＰＣから入力した画像データに基づく画像もプリントアウトする。
【００２０】
表示部１９は、液晶表示装置またはＣＲＴディスプレイ等の表示装置であり、ファクシミリ複合装置１の動作状態を表示したり、操作部２０を介したユーザの操作入力などを表示する。操作部２０は、ファクシミリ複合装置１を操作するために必要な各種のファンクションキーを備えている。なお、表示部１９をタッチパネル方式とすることにより、操作部２０の各種のキーの内の一部または全部を代用することも可能である。
【００２１】
第１コーデック２１は、色変換・２値化部１６で変換されたＣＭＹＫ表色系の２値の画像データに対して符号化処理を行う。符号化された画像データは、メモリ制御部２２の制御に従って、イメージバス２９を介して符号化画像メモリ２４に格納される。第２コーデック２３は、符号化画像メモリ２４に格納されている符号化画像データに対して、メモリ制御部２２の制御に従って、復号処理を行い、復号したＣＭＹＫ表色系の２値の画像データを出力する。
【００２２】
モデム２５は、システムバス２８に接続されており、ファクシミリ通信が可能なファクスモデムから構成されている。また、モデム２５は、同様にシステムバス２８に接続されたＮＣＵ２６と直接的に接続されている。ＮＣＵ２６は、ＰＳＴＮの閉結及び開放の動作を行うハードウェアであり、必要に応じてモデム２５を電話回線と接続する。ＬＡＮインタフェース２７は、回線ＬによってＬＡＮに接続され、ＬＡＮに接続されたＰＣとの間でデータのやりとりを行う。
【００２３】
本発明のファクシミリ複合装置１は、上述したような構成を有しており、記録処理の形態として、原稿画像を読み取り、読み取った画像データに基づいてそのままカラー画像を記録するモード（以下、イメージ記録モードという）と、符号化画像メモリ２４に格納されている符号化画像データを復号して得られる画像データに基づいてカラー画像を記録するモード（以下、デコード記録モードという）とが存在する。
【００２４】
次に、このような構成を有するファクシミリ複合装置１でのカラー画像読取記録の動作を説明する。まず、イメージ記録モードでの処理について説明する。
【００２５】
原稿画像が読取部１３のカラーＣＣＤで読み取られて、ＲＧＢにより表現される表色系のアナログ信号が取得される。このアナログ信号は、ＡＦＥでディジタル信号（Ｒ成分，Ｇ成分及びＢ成分が何れも９ビットのディジタルデータ）に変換され、シェーディング補正が施される。このようなＲＧＢ表色系の９ビットの画像データは、色変換部１４にて、Ｌａｂ表色系の８ビットの画像データに変換される。変換されたＬａｂ表色系の８ビットの画像データは、多値メモリである第１画像メモリ１５に一旦格納される。
【００２６】
第１画像メモリ１５に格納されているＬａｂ表色系の８ビットの画像データが読み出され、色変換・２値化部１６にて、ＣＭＹＫ表色系の２値の画像データに変換される。具体的には、８ビットのＬａｂ画像データに基づき、Ｋ成分，Ｃ成分，Ｍ成分，Ｙ成分の各画素１ビットの記録用画像データが、色変換・２値化部１６で生成される。変換されたＣＭＹＫ表色系の２値の画像データは、２値メモリである第２画像メモリ１７に順次格納される。
【００２７】
第２画像メモリ１７に格納されている各色の２値の画像データがＫ，Ｃ，Ｍ，Ｙの順で読み出され、記録部１８にて、各色のトナー像が順次形成されて、フルカラーの記録が行われる。
【００２８】
図２は、イメージ記録モードにおけるカラー画像読取記録処理のシーケンスを示すタイミングチャートである。図２には、読取部１３での読取処理（ａ）、色変換部１４での色変換処理（ｂ）、第１画像メモリ１５への書込み処理（ｃ）、第１画像メモリ１５からの読出し処理（ｄ）、色変換・２値化部１６での色変換・２値化処理（ｅ）、第２画像メモリ１７への書込み処理（ｆ）、第２画像メモリ１７からの符号化用の読出し処理及び第１コーデック２１での符号化処理（ｇ）、第２画像メモリ１７からの記録用の読出し処理（ｈ）、記録部１８での記録処理（ｉ）、第１画像メモリ１５でのデータ格納状態（ｊ）、並びに、第２画像メモリ１７でのデータ格納状態（ｋ）を示している。なお、原稿画像のサイズはＡ４とする。
【００２９】
図２において、（１）は１ページ目の原稿画像の読取開始時点を示す。矢符（２）は、１ページ目のＬａｂ画像データ（Ｌａｂ１）の数ライン分を第１画像メモリ１５へ書き込んだ後に色変換・２値化部１６での色変換・２値化処理を開始することを示す。最初の色成分Ｋ（１，２，３，４ページ目のＫ成分（Ｋ１，Ｋ２，Ｋ３，Ｋ４））では、数ラインずつ色変換・２値化部１６での色変換・２値化処理を行うが、残りの色成分Ｃ，Ｍ，Ｙ（Ｃ１〜Ｃ４，Ｍ１〜Ｍ４，Ｙ１〜Ｙ４）では、全ラインのＬａｂ画像データが格納されているため、全ラインを一括して色変換・２値化部１６での色変換・２値化処理を行う。
【００３０】
また、図２において、矢符（３）は、１ページ目のＫ成分（Ｋ１）の数ライン分の画像データを第２画像メモリ１７へ書き込んだ（格納した）後に第１コーデック２１での符号化処理を開始することを示す。矢符（４）は、Ｌａｂ１の第１画像メモリ１５への書込みが完了した後に、２ページ目の原稿画像の読み取りを開始することを示す。矢符（５）は、１ページ目のＣ成分（Ｃ１）の第２画像メモリ１７への書込みが完了した後に、２ページ目のＫ成分（Ｋ２）における色変換・２値化処理を開始することを示す。
【００３１】
更に、図２において、矢符（６）は、２ページ分のＫ成分（Ｋ１，Ｋ２）の第２画像メモリ１７への書込みが終了すれば、それを読み出して黒画像の記録処理を開始することを示す。矢符（７）は、２ページ分の黒画像の記録が終了すれば、１ページ目のＭ成分（Ｍ１）における色変換・２値化処理を開始することを示す。矢符（８）は、１ページ目のＹ成分（Ｙ１）における色変換・２値化処理が終了すれば、３ページ目の原稿画像の読み取りを開始することを示す。
【００３２】
以上のようなシーケンスにより、本発明では、２ページ分の原稿画像の読み取りを一単位として、Ｋ１／Ｃ１／Ｋ２／Ｃ２／Ｍ１／Ｍ２／Ｙ１／Ｙ２の順序で色変換・２値化処理を行い、Ｋ１・Ｋ２／Ｃ１・Ｃ２／Ｍ１・Ｍ２／Ｙ１・Ｙ２の順序で記録処理を行っている。
【００３３】
これらの４色成分における色変換・２値化処理について、次のようなシーケンスが考えられる。１ページ目の原稿画像を読み取り、その読取結果（Ｌａｂ画像データ）に各色成分の色変換・２値化処理を行って、Ｋ１，Ｃ１，Ｍ１，Ｙ１を順次取得し、次に２ページ目の原稿画像を読み取って、同様にＫ２，Ｃ２，Ｍ２，Ｙ２を順次取得する。このシーケンスでは、Ｋ１及びＫ２が揃わないと２アップ方式の記録処理を行えないため、記録処理を開始するタイミングがかなり遅延する。また、別のシーケンスとして、１ページ目の原稿画像を読み取ってＫ１を取得し、２ページ目の原稿画像を読み取ってＫ２を取得し、続いてＣ１，Ｃ２，Ｍ１，Ｍ２，Ｙ１，Ｙ２を順次取得するものが考えられる。このシーケンスの場合、上述のシーケンスと比較してＫ１及びＫ２が早い段階で生成できるため、黒画像の記録処理を早いタイミングで開始できるが、Ｋ１・Ｋ２の記録が終了した時点で次のＣ１，Ｃ２の生成が完了しておらず、このＣ１・Ｃ２の記録開始のタイミングが遅延する。
【００３４】
これに対して本発明では、Ｋ１／Ｃ１／Ｋ２／Ｃ２の順序で色変換・２値化処理を行う。つまり、２ページ目の原稿画像の読み取りを行っている間に、１ページ目のＣ成分（Ｃ１）における色変換・２値化処理を完了させておく。よって、Ｋ１・Ｋ２の記録が終了した時点で次のＣ１，Ｃ２の生成が完了しており、Ｋ１・Ｋ２の記録処理に引き続いて間断なく次のＣ１・Ｃ２の記録処理を行えて（図２（ｉ）参照）、記録処理に要する時間は短い。２ページ目の原稿画像の読み取り中の空き時間を利用して一部の色成分（ここではＣ成分）の色変換・２値化処理を行うようにしたため、極めて効率が良い色変換・２値化処理を実現でき、全体の処理時間を短縮できる。
【００３５】
次に、デコード記録モードでの処理について説明する。色変換・２値化部１６で変換されたＣＭＹＫ表色系の２値の画像データは、第１コーデック２１で符号化処理が施され（図２（ｇ）参照）、その符号化された画像データが、メモリ制御部２２の制御に従って、イメージバス２９を介して符号化画像メモリ２４に格納される。
【００３６】
そして、符号化画像メモリ２４に格納されている符号化画像データが、メモリ制御部２２の制御に従って、第２コーデック２３に読み出されて復号され、復号されたＣＭＹＫ表色系の２値の画像データは、一旦第２画像メモリ１７に順次格納される。第２画像メモリ１７に格納されている各色の２値の画像データがＫ，Ｃ，Ｍ，Ｙの順で読み出され、記録部１８にて、各色のトナー像が順次形成されて、フルカラーの記録が行われる。
【００３７】
図３は、デコード記録モードにおけるカラー記録処理のシーケンスを示すタイミングチャートである。図３には、第２コーデック２３での復号処理（ａ）、第２画像メモリ１７への書込み処理（ｂ）、第２画像メモリ１７からの記録用の読出し処理（ｃ）、及び、記録部１８での記録処理（ｄ）の各処理動作を示している。なお、原稿画像のサイズはＡ４とする。
【００３８】
図３に示すようなシーケンスにより、デコード記録モードでは、２ページ分の原稿画像を読み取って得られる画像データを一単位として、Ｋ１／Ｋ２／Ｃ１／Ｃ２／Ｍ１／Ｍ２／Ｙ１／Ｙ２の順序で復号処理を行い、Ｋ１・Ｋ２／Ｃ１・Ｃ２／Ｍ１・Ｍ２／Ｙ１・Ｙ２の順序で記録処理を行っている。デコード記録モードでは、全ての色成分における色変換・２値化処理が完了しているので、その復号順序は任意に設定できるが、各色での記録処理を連続して行えるために、上述したような復号順序が最も効率は良い。
【００３９】
図４は、上述したような２アップ方式の記録処理の動作手順を示すフローチャートである。
【００４０】
１ページ目のＫ成分（Ｋ１）における色変換・２値化処理を実行する（ステップＳ１）。制御部１０は、２ページ目の原稿画像の読み取りを終了したか否かを判断する（ステップＳ２）。終了していない場合には（Ｓ２：ＮＯ）、１ページ目のＣ成分（Ｃ１）における色変換・２値化処理を実行した後（ステップＳ３）、２ページ目のＫ成分（Ｋ２），Ｃ成分（Ｃ２）における色変換・２値化処理を順次行って（ステップＳ４，Ｓ５）、動作がステップＳ９に進む。一方、２ページ目の原稿画像の読み取りが終了している場合には（Ｓ２：ＹＥＳ）、２ページ目のＫ成分（Ｋ２），１ページ目のＣ成分（Ｃ１），２ページ目のＣ成分（Ｃ２）における色変換・２値化処理を順次行って（ステップＳ６，Ｓ７，Ｓ８）、動作がＳ９に進む。
【００４１】
１，２ページ目のＫ成分（Ｋ１・Ｋ２）の記録処理を実行した後（Ｓ９）、１ページ目のＭ成分（Ｍ１），２ページ目のＭ成分（Ｍ２）における色変換・２値化処理を順次行う（ステップＳ１０，Ｓ１１）。次に、１，２ページ目のＣ成分（Ｃ１・Ｃ２）の記録処理を実行した後（ステップＳ１２）、１ページ目のＹ成分（Ｙ１），２ページ目のＹ成分（Ｙ２）における色変換・２値化処理を順次行う（ステップＳ１３，Ｓ１４）。そして、１，２ページ目のＭ成分（Ｍ１・Ｍ２）の記録処理、１，２ページ目のＹ成分（Ｙ１・Ｙ２）の記録処理を順次実行する（ステップＳ１５，Ｓ１６）。
【００４２】
なお、上述した例では、２アップ方式の記録処理であって、Ｋ１／Ｃ１／Ｋ２／Ｃ２／Ｍ１／Ｍ２／Ｙ１／Ｙ２の順序で色変換・２値化処理を行うようにしたが、これは一例であり、各色の記録処理をスムーズに行えるように、各色成分における色変換・２値化処理の順序を適宜決定すれば良い。
【００４３】
また、上述した例では、２値のＣＭＹＫ表色系の画像データに色変換して画像を記録するようにしたが、多値（上記例では８ビット）のＬａｂ画像データを多値のＣＭＹＫ各色成分の画像データに色変換する場合にも、本発明を適用できることは勿論である。
【００４４】
【発明の効果】
以上のように本発明では、読み取った複数ページの読取結果を記録用の複数の色成分夫々の画像データに変換する際に、複数の色成分の一部の色成分に関する複数ページにわたる変換処理をまず行い、続いて、残りの色成分に関する複数ページにわたる変換処理を行うようにしたので、読取結果から記録用の画像データへの変換処理を効率良く実行することができ、記録処理に要する時間、更には、読取記録全体の処理時間を短縮することができる。
【００４５】
また本発明では、変換処理によって得られる複数の色成分夫々の画像データを符号化しておき、記録時にそれらの符号化画像データを復号するようにしたので、任意の時点での記録処理，ソート記録処理などを、少ないメモリ資源により実行することができる。
【図面の簡単な説明】
【図１】本発明のカラー画像読取記録装置としてのファクシミリ複合装置の構成を示すブロック図である。
【図２】イメージ記録モードにおけるカラー画像読取記録処理のシーケンスを示すタイミングチャートである。
【図３】デコード記録モードにおけるカラー記録処理のシーケンスを示すタイミングチャートである。
【図４】２アップ方式の記録処理の動作手順を示すフローチャートである。
【符号の説明】
１  ファクシミリ複合装置（カラー画像読取記録装置）
１０  制御部
１１  ＲＯＭ
１３  読取部
１６  色変換・２値化部（変換部）
１７  第２画像メモリ
１８  記録部
２１  第１コーデック
２３  第２コーデック
２４  符号化画像メモリ
【図１】
2004158999.tif 000003
【図２】
2004158999.tif 000004
【図３】
2004158999.tif 000005
【図４】
2004158999.tif 000006